【手続補正書】
【提出日】平成18年9月19日(2006.9.19)
【手続補正１】
【補正対象書類名】特許請求の範囲
【補正対象項目名】全文
【補正方法】変更
【補正の内容】
【特許請求の範囲】
【請求項１】
座席及びその上に積載された物体の重量を計測するシート荷重計の信号（シート荷重）に基づいて、座席上の物体の状態を判別する方法であって、少なくとも第１のシート荷重範囲に対応する第１の状態と、前記第１のシート荷重範囲より大きなシート荷重範囲である第２の荷重範囲に対応する第２の状態とを、以下の方法により判別する方法を有することを特徴とする座席上の物体の状態の判別方法。
(1) 第１の荷重閾値と、それより大きな荷重に対応する第２の荷重閾値を設け、シート荷重が前記第１の閾値を上回る状態が予め定められた条件にあてはまるとき、仮に第２の状態であると判断する。又、シート荷重が前記第２の閾値を下回る状態が予め定められた条件にあてはまるとき、仮に第１の状態であると判断する。
(2) (1)の仮の判断において、第１の状態であると判断されるのみであるか、第２の状態と判断されるのみである場合は、仮の判断を最終判断とする。
(3) (1)の仮の判断において、第１の状態であり、かつ第２の状態でもあると判断された場合には、優先度の高い方の状態を最終判断として採用する。
【請求項２】
座席及びその上に積載された物体の重量を計測するシート荷重計の信号（シート荷重）に基づいて、座席上の物体の状態を判別する方法であって、少なくとも第１のシート荷重範囲に対応する第１の状態と、前記第１のシート荷重範囲より大きなシート荷重範囲である第２の荷重範囲に対応する第２の状態とを、以下の方法により判別する方法を有することを特徴とする座席上の物体の状態の判別方法。
(1) 第１の荷重閾値と、それより大きな荷重に対応する第２の荷重閾値を設け、
(a) シート荷重が前記第１の閾値を上回る状態が予め定められた条件にあてはまるとき、仮に第２の状態であると判断する。
(b) シート荷重が前記第２の閾値を下回る状態が予め定められた条件にあてはまるとき、仮に第１の状態であると判断する。
(2) 前記第１の状態と第２の状態に優先度を設け、第１の状態の方が優先度が高いとき、前記(a)の状態が成立する前に(b)の状態が成立し易く、第２の状態の方が優先度が高いとき、前記(b)の状態が成立する前に(a)の状態が成立し易いように前記予め定められた条件を定める。
【請求項３】
請求項２に記載の座席上の物体の状態の判別方法であって、前記(a)の条件は、シート荷重を所定回数サンプリングした際にサンプリングされたシート荷重が所定回数前記第１の閾値を上回ることであり、(b)の条件は、シート荷重を所定回数サンプリングした際にサンプリングされたシート荷重が所定回数前記第２の閾値を下回ることであって、前記サンプリングの回数は(a)、(b)で同じとし、前記第１の閾値を上回る回数と、前記第２の閾値を下回る回数との間に差を設け、早く成立した条件を採用することにより、前記(2)の条件を満足させることを特徴とする座席上の物体の状態の判別方法。
【請求項４】
請求項２に記載の座席上の物体の状態の判別方法であって、前記(a)の条件は、シート荷重をｍ×ｉ（ｍ，ｉは自然数）回サンプリングした際にサンプリングされたシート荷重がｎ×ｉ回（ｎは自然数でｍ＞ｎ）前記第１の閾値を上回ることであり、(b)の条件は、シート荷重をｍ×ｋ（ｋは自然数）回サンプリングした際にサンプリングされたシート荷重がｎ×ｋ回前記第２の閾値を下回ることであって、前記ｉとｋの値を異ならせ、早く成立した条件を採用することにより、前記(2)の条件を満足させることを特徴とする座席上の物体の状態の判別方法。
【請求項５】
請求項１から請求項４のうちいずれか１項に記載の座席上の物体の状態の判別方法であって、現在の状態から前記第１の状態又は第２の状態に移行するとき、現在の状態に応じて前記優先度を決定することを特徴とする座席上の物体の状態の判別方法。
【請求項６】
請求項５に記載の座席上の物体の状態の判別方法であって、前記第１の状態、第２の状態の他に、前記第１の荷重閾値、第２の荷重閾値の外側にある閾値によって決定される第３の状態を少なくとも有し、この第３の状態から前記第１の状態又は第２の状態に状態が切り替わる際の判定には、前記第３の状態と隣り合う状態の優先度を低くすることを特徴とする座席上の物体の状態の判別方法。
【請求項７】
請求項１から請求項４のうちいずれか１項に記載の座席上の物体の状態の判別方法であって、座席が空席である状態の優先度を高く設定することを特徴とする座席上の物体の状態の判別方法。
【請求項８】
請求項１から請求項７のうちいずれか１項に記載の座席上の物体の状態の判別方法を実施する機能を有することを特徴とする座席上の物体の状態の判別装置。
【手続補正２】
【補正対象書類名】明細書
【補正対象項目名】発明の名称
【補正方法】変更
【補正の内容】
【発明の名称】座席上の物体の状態の判別方法及び装置
【手続補正３】
【補正対象書類名】明細書
【補正対象項目名】００１１
【補正方法】変更
【補正の内容】
【００１１】
本発明はこのような問題点を解決するためになされたものであり、閾値を挟んで測定値がふらつくような場合でも、正確に判別される状態を切り換え可能な、座席上の物体の状態の判別方法及び装置を提供することを課題とする。
【手続補正４】
【補正対象書類名】明細書
【補正対象項目名】００１２
【補正方法】変更
【補正の内容】
【００１２】
前記課題を解決するための第１の手段は、座席及びその上に積載された物体の重量を計測するシート荷重計の信号（シート荷重）に基づいて、座席上の物体の状態を判別する方法であって、少なくとも第１のシート荷重範囲に対応する第１の状態と、前記第１のシート荷重範囲より大きなシート荷重範囲である第２の荷重範囲に対応する第２の状態とを、以下の方法により判別する方法を有することを特徴とする座席上の物体の状態の判別方法（請求項１）である。
(1) 第１の荷重閾値と、それより大きな荷重に対応する第２の荷重閾値を設け、シート荷重が前記第１の閾値を上回る状態が予め定められた条件にあてはまるとき、仮に第２の状態であると判断する。又、シート荷重が前記第２の閾値を下回る状態が予め定められた条件にあてはまるとき、仮に第１の状態であると判断する。
(2) (1)の仮の判断において、第１の状態であると判断されるのみであるか、第２の状態と判断されるのみである場合は、仮の判断を最終判断とする。
(3) (1)の仮の判断において、第１の状態であり、かつ第２の状態でもあると判断された場合には、優先度の高い方の状態を最終判断として採用する。
【手続補正５】
【補正対象書類名】明細書
【補正対象項目名】００２３
【補正方法】変更
【補正の内容】
【００２３】
前記課題を解決するための第６の手段は、前記第５の手段であって、前記第１の状態、第２の状態の他に、前記第１の荷重閾値、第２の荷重閾値の外側にある閾値によって決定される第３の状態を少なくとも有し、この第３の状態から前記第１の状態又は第２の状態に状態が切り替わる際の判定には、前記第３の状態と隣り合う状態の優先度を低くすることを特徴とするもの（請求項６）である。
【手続補正６】
【補正対象書類名】明細書
【補正対象項目名】００２６
【補正方法】変更
【補正の内容】
【００２６】
本手段においては、乗員が座席から離れたとき、空席であることを早期に検出可能である。
前記課題を解決するための第８の手段は、前記第１の手段から第７の手段のいずれかの座席上の物体の状態の判別方法を実施する機能を有することを特徴とする座席上の物体の状態の判別装置（請求項８）である。
【手続補正７】
【補正対象書類名】明細書
【補正対象項目名】００２７
【補正方法】変更
【補正の内容】
【００２７】
以上説明したように、本発明によれば、閾値を挟んで測定値がふらつくような場合でも、正確に判別される状態を切り換え可能な、座席上の物体の状態の判別方法及び装置を提供することができる。
【手続補正８】
【補正対象書類名】明細書
【補正対象項目名】００４６
【補正方法】変更
【補正の内容】
【００４６】
この実施の形態においては、クラス１とクラス２の区分は、以下のようにして行われる。すなわち、５回のサンプリングのうち３回がＴＨ２以下となった場合にはクラス１であると判定する一方、１０回のサンプリングのうち３回がＴＨ１以上となったときにクラス２であると判定し、どちらか早く成立した方の判定を、最終判定とする。すなわち、１０サンプリングが判定の単位であり、その中で、ＴＨ２以下という判定については、５サンプリングごと２回行っている。